(57)【要約】【課題】電子機器側コネクタおよびアクセサリー側コネクタの着脱時における電子機器およびアクセサリーの動作の安定化を図る。【解決手段】電子機器側コネクタとアクセサリー側コネクタとの接続を解除する際、アクセサリー側コネクタが第２の方向に回転されると、全ての電子機器側接片１００４のうち、最も早く識別信号用接片ＩＤ１、ＩＤ２からアクセサリー側接片２００４の識別信号用接片ＩＤ１´、ＩＤ２´が離れそれらの接続が解除されるので、電子機器１００は識別信号の検出が停止されることにより、アクセサリー２００が未装着であると判断してアクセサリー２００に対する電源供給やアクセサリー２００との信号の授受を停止する。【選択図】        図７
2005227335.tif 000002
【特許請求の範囲】
【請求項１】
電子機器に設けられ複数の電子機器側接片を有する電子機器側コネクタと、前記電子機器に装着されるアクセサリーに設けられ複数のアクセサリー側接片を有するアクセサリー側コネクタとを備えるアクセサリーシュー装置であって、
前記電子機器側コネクタは、第１の仮想軸に対して交差する方向に延在し前記複数の電子機器側接片が前記第１の仮想軸を中心とする円周上に位置するように設けられた電子機器側端子面を有し、
前記電子機器側コネクタの電子機器側接片のうちの少なくとも一つは、前記アクセサリーを識別するための識別信号を前記アクセサリーに供給する識別信号用接片を含んでおり、
前記アクセサリー側コネクタは、第２の仮想軸に対して交差する方向に延在し前記複数のアクセサリー側接片が前記第２の仮想軸を中心とする円周上に位置するように設けられたアクセサリー側端子面を有し、
前記アクセサリー側コネクタのアクセサリー側接片のうちの少なくとも一つは、前記識別信号が供給される識別信号用接片を含んでおり、
前記電子機器側端子面の近傍に、前記第１の仮想軸と第２の仮想軸を合致させアクセサリーのアクセサリー側コネクタのアクセサリー側端子面を前記電子機器側端子面に合わせ前記仮想軸を中心とする円周方向に前記アクセサリー側コネクタを回転させる案内部が設けられ、
前記複数の電子機器側接片と前記複数のアクセサリー側接片は、前記第１の仮想軸と第２の仮想軸を合致させアクセサリー側コネクタのアクセサリー側端子面を前記電子機器側端子面に合わせ前記仮想軸を中心とする円周方向で第１の方向に前記アクセサリー側コネクタを回転させることで双方が接触し、前記仮想軸を中心とする円周方向で第１の方向とは逆方向である第２の方向に前記アクセサリー側コネクタを回転させることで双方が離れるように構成され、
前記アクセサリー側コネクタの識別信号用接片と前記電子機器側コネクタの識別信号用接片とは、前記第２の方向に前記アクセサリー側コネクタを回転した際に、全てのアクセサリー側接片および全ての電子機器側接片のうちで最も早く離れるように構成されている、
ことを特徴とするアクセサリーシュー装置。
【請求項２】
前記アクセサリー側コネクタの識別信号用接片と前記電子機器側コネクタの識別信号用接片とは、前記第１の方向に前記アクセサリー側コネクタを回転した際に、全てのアクセサリー側接片および全ての電子機器側接片のうちで最も遅く接触するように構成されていることを特徴とする請求項1記載のアクセサリーシュー装置。
【請求項３】
前記電子機器側コネクタの電子機器側接片のうちの少なくとも一つは、基準電位を前記アクセサリーに供給する基準電位用接片を含んでおり、前記アクセサリー側コネクタのアクセサリー側接片のうちの少なくとも一つは、基準電位が供給される基準電位用接片を含んでおり、前記アクセサリー側コネクタの識別信号接片および基準電位用接片の間には所定の抵抗値を有する抵抗手段が接続され、前記識別信号は前記電子機器側コネクタの識別信号用接片から、前記アクセサリー側コネクタの識別信号用接片、前記抵抗手段、前記アクセサリー側コネクタの基準電位用接片を経て前記電子機器側コネクタの基準電位用接片に伝達されることを特徴とする請求項1記載のアクセサリーシュー装置。
【請求項４】
前記第１の方向および第２の方向に前記アクセサリー側コネクタを回転した際に、前記電子機器側コネクタの識別信号用接片は、前記アクセサリー側コネクタの識別信号用接片のみに接触するように構成されていることを特徴とする請求項1記載のアクセサリーシュー装置。
【請求項５】
前記電子機器側コネクタの電子機器側接片の少なくとも一つは、前記電子機器が有する電源を前記アクセサリーに供給する電源供給用接片を含んでおり、前記アクセサリー側コネクタのアクセサリー側接片の少なくとも一つは、前記電源が供給される電源供給用接片を含んでおり、前記アクセサリー側コネクタの電源供給用接片と前記電子機器側コネクタの電源供給用接片とは、前記第２の方向に前記アクセサリー側コネクタを回転した際に、前記アクセサリー側コネクタの識別信号用接片と電子機器側コネクタの識別信号用接片とが離れた後で離れるように構成されていることを特徴とする請求項1記載のアクセサリーシュー装置。
【請求項６】
前記電子機器側コネクタの電子機器側接片のうちの少なくとも一つは、基準電位を前記アクセサリーに供給する基準電位用接片を含んでおり、前記アクセサリー側コネクタのアクセサリー側接片のうちの少なくとも一つは、基準電位が供給される基準電位用接片を含んでおり、前記アクセサリー側コネクタの基準電位用接片と前記電子機器側コネクタの基準電位用接片とは、前記第１の方向に前記アクセサリー側コネクタを回転した際に、全てのアクセサリー側接片および全ての電子機器側接片のうちで最も早く接触し、かつ、全てのアクセサリー側接片および全ての電子機器側接片が接触した状態まで接触し続けているように構成されていることを特徴とする請求項1記載のアクセサリーシュー装置。
【請求項７】
前記電子機器側端子面は、前記電子機器側接片が設けられた接片領域と、前記電子機器側接片が設けられていない非接片領域とが前記第１の仮想軸の回りに位相をずらして設けられ、前記電子機器側コネクタの識別信号用接片は、前記電子機器側端子面の接片領域における前記第１の方向の端部に設けられ、前記アクセサリー側コネクタの識別信号用接片は、前記アクセサリー側端子面における前記第１の方向の端部に設けられていることを特徴とする請求項1記載のアクセサリーシュー装置。
【請求項８】
前記電子機器側コネクタの電子機器側接片は、前記電子機器が有する電源を前記アクセサリーに供給する電源供給用接片と、基準電位を前記アクセサリーに供給する基準電位用接片とを含んでおり、前記アクセサリー側コネクタのアクセサリー側接片は、前記電源が供給される電源供給用接片と、前記基準電位が供給される基準電位用接片とを含んでおり、前記電子機器側端子面には、前記第１の仮想軸を中心とする扇形の領域に前記電子機器側接片が設けられた接片領域と、前記第１の仮想軸を中心とする扇形の領域で前記電子機器側接片が設けられていない非接片領域とが前記第１の仮想軸の回りに位相をずらして設けられ、前記接片領域において、前記電源供給用接片と、前記基準電位用接片と、前記識別信号用接片とは、前記第１の仮想軸を中心とした異なった半径の円周上にそれぞれ延在形成され、前記アクセサリー側端子面には、前記電源供給用接片と、前記基準電位用接片と、前記識別信号用接片とは、前記第２の仮想軸を中心とした異なった半径の円周上にそれぞれ形成されていることを特徴とする請求項1記載のアクセサリーシュー装置。
【請求項９】
前記電子機器側コネクタの電子機器側接片のうちの少なくとも一つは、前記アクセサリーとの間で電気信号を授受する信号入出力用接片を含んでおり、前記アクセサリー側コネクタのアクセサリー側接片のうちの少なくとも一つは、前記電気信号が授受される信号入出力用接片を含んでおり、前記電子機器側端子面は、前記第１の仮想軸を中心とする扇形の領域に前記電子機器側接片が設けられた接片領域と、前記第１の仮想軸を中心とする扇形の領域で前記電子機器側接片が設けられていない非接片領域とが前記第１の仮想軸の回りに位相をずらして設けられ、前記接片領域において、前記識別信号用接片と前記信号入出力用接片とは、前記第１の仮想軸を中心とした同一半径の同一円周上で周方向に間隔をおいてそれぞれ延在形成され、前記アクセサリー側端子面には、前記識別信号用接片と前記信号入出力用接片とは、前記第２の仮想軸を中心とした同一半径の同一円周上で周方向に間隔をおいてそれぞれ形成されていることを特徴とする請求項1記載のアクセサリーシュー装置。
【請求項１０】
前記電子機器側端子面は、前記第１の仮想軸を中心とする扇形の領域に前記電子機器側接片が設けられた接片領域と、前記第１の仮想軸を中心とする扇形の領域で前記電子機器側接片が設けられていない非接片領域とが前記第１の仮想軸の回りに位相をずらして交互に２つずつ設けられていることを特徴とする請求項1記載のアクセサリーシュー装置。
【請求項１１】
前記案内部は、前記第１の仮想軸上に位置して前記電子機器側端子面から突出し該電子機器側端子面上で前記第１の仮想軸の回りに回転可能に支持された軸部材で構成されていることを特徴とする請求項１記載のアクセサリーシュー装置。
【請求項１２】
前記第１の仮想軸に沿って前記電子機器側端子面から離れた箇所で前記第１の仮想軸を中心として延在する内周面を有する板部材が設けられ、前記案内部は前記内周面で構成されていることを特徴とする請求項１記載のアクセサリーシュー装置。
【請求項１３】
前記案内部は、前記アクセサリー側コネクタの前記第１の方向の回転を、前記電子機器側接片と前記アクセサリー側接片とを電気的に導通させる回転角度で停止させるストッパを有していることを特徴とする請求項１記載のアクセサリーシュー装置。
【請求項１４】
前記案内部は、前記第１の仮想軸上に位置して前記電子機器側端子面から突出し該電子機器側端子面上で前記第１の仮想軸の回りに回転可能に支持された軸部材で構成され、前記電子機器側端子面は、前記第１の仮想軸を中心とする扇形の領域に前記電子機器側接片が複数設けられた接片領域と、前記仮想軸を中心とする扇形の領域で前記電子機器側接片が設けられていない非接片領域とで構成され、前記軸部材と一体に回転し前記接片領域を覆うと共に前記非接片領域を開放する閉位置と、前記接片領域を開放すると共に前記非接片領域を覆う開位置となるカバーが設けられていることを特徴とする請求項１記載のアクセサリーシュー装置。
【請求項１５】
前記電子機器側接片と前記アクセサリー側接片とを電気的に導通させた状態で双方のコネクタを着脱可能に固定する固定手段を備えることを特徴とする請求項１記載のアクセサリーシュー装置。
【請求項１６】
複数の電子機器側接片を有する電子機器側コネクタを備えた電子機器であって、
前記電子機器側コネクタは、仮想軸に対して交差する方向に延在する電子機器側端子面を有し、
前記電子機器側端子面には、前記電子機器側接片が設けられた接片領域と、前記電子機器側接片が設けられていない非接片領域とが前記仮想軸の回りに位相をずらして設けられ、
前記電子機器側端子面の近傍に、前記相手方のコネクタの端子面を前記電子機器側端子面に合わせ前記仮想軸を中心とする円周方向に前記相手方のコネクタを回転させ前記電子機器側接片と前記相手方のコネクタの接片とを電気的に導通させるように前記相手方のコネクタを案内する案内部が設けられ、
前記電子機器側接片のうちの少なくとも一つは、相手方を識別するための識別信号を前記相手方に供給する識別信号用接片を含んでおり、
前記識別信号用接片は、前記接片領域において同一半径の円周上に他の電子機器側接片と共にその周方向に間隔をおいて配置され、かつ、これら電子機器側接片のうちで前記円周方向における最も端部に配置されている、
ことを特徴とする電子機器。
【請求項１７】
前記電子機器側接片は、基準電位を前記相手方に供給する基準電位用接片を含んでおり、前記基準電位用接片は、前記仮想軸を中心とした同一半径の円周上において前記接片領域の全域にわたって延在していることを特徴とする請求項１６記載の電子機器。
【請求項１８】
電子機器側接片は、前記相手方との間で電気信号を授受する信号入出力用接片を含んでおり、前記他の電子機器側接片は前記信号入出力用接片であることを特徴とする請求項１６記載の電子機器。
【請求項１９】
前記電子機器側接片は、前記電子機器が有する電源を前記相手方に供給する電源供給用接片と、基準電位を前記相手方に供給する基準電位用接片とを含んでおり、前記識別信号用接片と電源供給用接片と基準電位用接片とは、前記接片領域において前記仮想軸を中心とした異なった半径の円周上にそれぞれ延在していることを特徴とする請求項１６記載の電子機器。
【請求項２０】
前記案内部は、前記仮想軸上に位置して前記電子機器側端子面から突出し該電子機器側端子面上で前記仮想軸の回りに回転可能に支持された軸部材で構成されていることを特徴とする請求項１６記載の電子機器。
【請求項２１】
前記仮想軸に沿って前記電子機器側端子面から離れた箇所で前記仮想軸を中心として延在する内周面を有する板部材が設けられ、前記案内部は前記内周面で構成されていることを特徴とする請求項１６記載の電子機器。
【請求項２２】
前記案内部は、前記相手方のコネクタの前記仮想軸を中心とする円周方向の回転を、前記電子機器側接片と前記相手方のコネクタの接片とを電気的に導通させる回転角度で停止させるストッパを有していることを特徴とする請求項１６記載の電子機器。
【請求項２３】
前記案内部は、前記仮想軸上に位置して前記電子機器側端子面から突出し該電子機器側端子面上で前記仮想軸の回りに回転可能に支持された軸部材で構成され、前記軸部材と一体に回転し前記接片領域を覆うと共に前記非接片領域を開放する閉位置と、前記接片領域を開放すると共に前記非接片領域を覆う開位置となるカバーが設けられていることを特徴とする請求項１６記載の電子機器。
【請求項２４】
前記電子機器側コネクタの電子機器側接片と前記相手方のコネクタの接片とを電気的に導通させた状態で双方のコネクタを着脱可能に固定する固定手段を備えることを特徴とする請求項１６記載の電子機器。
【請求項２５】
前記電子機器の外装を構成するケースに凹部が設けられ、前記凹部を開閉する蓋が設けられ、前記電子機器側コネクタは非使用時に前記凹部に収容され前記蓋より覆われていることを特徴とする請求項１６記載の電子機器。
【請求項２６】
前記電子機器は撮像装置であり、前記相手側のコネクタは該撮像装置に装着されるアクセサリーのコネクタであることを特徴とする請求項１６記載の電子機器。
【請求項２７】
複数のアクセサリー側接片を有するアクセサリー側コネクタを備え電子機器の電子機器側コネクタに結合されるアクセサリーであって、
前記アクセサリー側コネクタは、仮想軸に対して交差する方向に延在し前記アクセサリー側接片が設けられたアクセサリー側端子面を備え、
前記アクセサリー側コネクタの前記アクセサリー側端子面の近傍箇所に、前記電子機器側コネクタの案内部に係合し前記電子機器側コネクタの端子面に前記アクセサリー側端子面を合わせ前記仮想軸を中心とする円周方向で第１の方向に前記アクセサリー側コネクタが回転され前記アクセサリー側接片と前記電子機器側コネクタの接片とを電気的に導通させかつ前記円周方向で前記第１の方向とは逆の第２の方向に前記アクセサリー側コネクタが回転され前記アクセサリー側接片と前記電子機器側コネクタの接片とが離れるように前記案内部により案内される係合部が設けられ、
前記アクセサリー側コネクタのアクセサリー側接片のうちの少なくとも一つは、前記アクセサリーを識別するための識別信号を受け取る識別信号用接片を含んでおり、
前記識別信号用接片は、全ての前記アクセサリー側接片のうち、前記アクセサリー側端子面において前記第２の方向における最も端部に設けられている、
ことを特徴とするアクセサリー。
【請求項２８】
前記アクセサリー側接片は、基準電位が供給される基準電位用接片を含んでおり、前記基準電位用接片は、前記アクセサリー側端子面において全ての前記アクセサリー側接片のうち前記第１の方向における最も端部に設けられていることを特徴とする請求項２７記載のアクセサリー。
【請求項２９】
アクセサリー側接片は、電気信号を授受する信号入出力用接片を含んでおり、前記信号入出力用接片は、前記アクセサリー側端子面において前記識別信号用接片が位置する前記仮想軸を中心とした円周上にその周方向に間隔をおいて該識別信号用接片と共に配置されていることを特徴とする請求項２７記載のアクセサリー。
【請求項３０】
前記アクセサリー側接片は、電源が供給される電源供給用接片と、基準電位が供給される基準電位用接片とを含んでおり、前記識別信号用接片と電源供給用接片と基準電位用接片とは、前記アクセサリー側端子面において前記仮想軸を中心とした異なった半径の円周上にそれぞれ設けられていることを特徴とする請求項２７記載のアクセサリー。
【請求項３１】
前記係合部は、前記仮想軸上に位置して前記アクセサリー側端子面に形成された孔部で構成されていることを特徴とする請求項２７記載のアクセサリー。
【請求項３２】
前記アクセサリー側端子面は、前記仮想軸を軸心とする軸状の部材の先端面に設けられ、前記アクセサリー側端子面から離れた前記軸状の部材の箇所に前記仮想軸を中心として延在する外周面が設けられ、前記案内部は前記外周面で構成されていることを特徴とする請求項２７記載のアクセサリー。
【請求項３３】
前記係合部は、前記仮想軸を中心とする円周方向の回転を、前記接片と前記電子機器側コネクタの接片とを電気的に導通させる回転角度で停止させるストッパを有していることを特徴とする請求項２７記載のアクセサリー。
【請求項３４】
前記アクセサリー側接片は、前記アクセサリー側端子面に出没可能に配設され該アクセサリー側端子面から常時突出する方向に付勢されたピンで構成されていることを特徴とする請求項２７記載のアクセサリー。
【請求項３５】
前記アクセサリー側接片を前記電子機器側コネクタの接片に電気的に導通させた状態で双方のコネクタを着脱可能に固定する固定手段を備えることを特徴とする請求項２７記載のアクセサリー。
【請求項３６】
前記アクセサリー側コネクタは、前記アクセサリーに対して前記仮想軸の回りに回転可能に結合されていることを特徴とする請求項２７記載のアクセサリー。
【請求項３７】
前記電子機器は撮像装置であることを特徴とする請求項２７記載のアクセサリー。
【発明の詳細な説明】
【技術分野】
【０００１】
本発明はアクセサリーシュー装置および電子機器並びにアクセサリーに関する。
【背景技術】
【０００２】
デジタルカメラやビデオカメラなどの撮像装置（以下電子機器という）には、多くの場合、補助光を発光するためのフラッシュライトや音声を収録するためのマイクなどのアクセサリーを装着するための電子機器側コネクタが設けられている。
このような従来の電子機器の電子機器側コネクタは、平面状の端子面と、該端子面に接続された保持部と、端子面に設けられた電源用または信号授受用の接片とを備えている。また、電子機器に取り付けられるアクセサリーには、電子機器側コネクタに装着されるアクセサリー側コネクタが設けられ、該アクセサリー側コネクタは電子機器側コネクタの端子面に当て付けられる取り付け部と、該取り付け部に設けられた電源用または信号授受用の接片とを備えている。そして、アクセサリー側コネクタの電子機器側コネクタへの装着は、アクセサリー側コネクタの取り付け部を電子機器側コネクタの端子面に当てつけた状態で該端子面に沿って直線的にスライドさせ取り付け部を電子機器側コネクタの保持部に保持させることでなされている。そして、取り付け部が保持部に保持された状態でアクセサリーの各接片が電子機器側コネクタの各接片に電気的に接続されるように構成されている（例えば特許文献１、特許文献２参照）。なお、これら電子機器側コネクタとアクセサリー側コネクタとを合わせてアクセサリーシュー装置と称している。
【特許文献１】特開平９−１６３２００号公報
【特許文献２】特開平９−１６６８１６号公報
【発明の開示】
【発明が解決しようとする課題】
【０００３】
このような従来技術では、電子機器側コネクタに対してアクセサリー側コネクタを直線的にスライドさせるため、電子機器側コネクタの周囲にアクセサリー側コネクタの取り付け部の輪郭の約２倍のスペースを確保する必要があり、電子機器の小型化を図る上で、あるいは、電子機器のデザイン性を向上させる上で不利があった。
また、アクセサリー側コネクタを電子機器側コネクタに対して直線的にスライドさせる都合上、各接片の配置が限定され、アクセサリー側コネクタおよび電子機器側コネクタを小型化する上で限界があり、電子機器およびアクセサリーの小型化に対応する上でも不利があった。また、アクセサリー側コネクタを電子機器側コネクタに対して直線的にスライドさせる都合上、接片の数を増やす上でも限界があり、アクセサリーの多様化に対応して増加する種々の信号を接続する上でも不利があった。
また、前記小型化や、限られた端子面内での接片の増加を図るにあたっては、電子機器側コネクタおよびアクセサリー側コネクタの着脱時における電子機器およびアクセサリーの動作の安定化を念頭におかなければならない。
本発明はこのような事情に鑑みなされたものであり、その目的は、電子機器側コネクタおよびアクセサリー側コネクタの着脱時における電子機器およびアクセサリーの動作の安定化を図りつつ、小型化およびデザイン性の向上を図ることができ、また、接片の増加に対応することができるアクセサリーシュー装置および電子機器並びにアクセサリーを提供することにある。
【課題を解決するための手段】
【０００４】
上述の目的を達成するため、本発明のアクセサリーシュー装置は、電子機器に設けられ複数の電子機器側接片を有する電子機器側コネクタと、前記電子機器に装着されるアクセサリーに設けられ複数のアクセサリー側接片を有するアクセサリー側コネクタとを備えるアクセサリーシュー装置であって、前記電子機器側コネクタは、第１の仮想軸に対して交差する方向に延在し前記複数の電子機器側接片が前記第１の仮想軸を中心とする円周上に位置するように設けられた電子機器側端子面を有し、前記電子機器側コネクタの電子機器側接片のうちの少なくとも一つは、前記アクセサリーを識別するための識別信号を前記アクセサリーに供給する識別信号用接片を含んでおり、前記アクセサリー側コネクタは、第２の仮想軸に対して交差する方向に延在し前記複数のアクセサリー側接片が前記第２の仮想軸を中心とする円周上に位置するように設けられたアクセサリー側端子面を有し、前記アクセサリー側コネクタのアクセサリー側接片のうちの少なくとも一つは、前記識別信号が供給される識別信号用接片を含んでおり、前記電子機器側端子面の近傍に、前記第１の仮想軸と第２の仮想軸を合致させアクセサリーのアクセサリー側コネクタのアクセサリー側端子面を前記電子機器側端子面に合わせ前記仮想軸を中心とする円周方向に前記アクセサリー側コネクタを回転させる案内部が設けられ、前記複数の電子機器側接片と前記複数のアクセサリー側接片は、前記第１の仮想軸と第２の仮想軸を合致させアクセサリー側コネクタのアクセサリー側端子面を前記電子機器側端子面に合わせ前記仮想軸を中心とする円周方向で第１の方向に前記アクセサリー側コネクタを回転させることで双方が接触し、前記仮想軸を中心とする円周方向で第１の方向とは逆方向である第２の方向に前記アクセサリー側コネクタを回転させることで双方が離れるように構成され、前記アクセサリー側コネクタの識別信号用接片と前記電子機器側コネクタの識別信号用接片とは、前記第２の方向に前記アクセサリー側コネクタを回転した際に、全てのアクセサリー側接片および全ての電子機器側接片のうちで最も早く離れるように構成されていることを特徴とする。
また本発明の電子機器は、複数の電子機器側接片を有する電子機器側コネクタを備えた電子機器であって、前記電子機器側コネクタは、仮想軸に対して交差する方向に延在する電子機器側端子面を有し、前記電子機器側端子面には、前記電子機器側接片が設けられた接片領域と、前記電子機器側接片が設けられていない非接片領域とが前記仮想軸の回りに位相をずらして設けられ、前記電子機器側端子面の近傍に、前記相手方のコネクタの端子面を前記電子機器側端子面に合わせ前記仮想軸を中心とする円周方向に前記相手方のコネクタを回転させ前記電子機器側接片と前記相手方のコネクタの接片とを電気的に導通させるように前記相手方のコネクタを案内する案内部が設けられ、前記電子機器側接片のうちの少なくとも一つは、相手方を識別するための識別信号を前記相手方に供給する識別信号用接片を含んでおり、前記識別信号用接片は、前記接片領域において同一半径の円周上に他の電子機器側接片と共にその周方向に間隔をおいて配置され、かつ、これら電子機器側接片のうちで前記円周方向における最も端部に配置されていることを特徴とする。
また本発明のアクセサリーは、複数のアクセサリー側接片を有するアクセサリー側コネクタを備え電子機器の電子機器側コネクタに結合されるアクセサリーであって、前記アクセサリー側コネクタは、仮想軸に対して交差する方向に延在し前記アクセサリー側接片が設けられたアクセサリー側端子面を備え、前記アクセサリー側コネクタの前記アクセサリー側端子面の近傍箇所に、前記電子機器側コネクタの案内部に係合し前記電子機器側コネクタの端子面に前記アクセサリー側端子面を合わせ前記仮想軸を中心とする円周方向で第１の方向に前記アクセサリー側コネクタが回転され前記アクセサリー側接片と前記電子機器側コネクタの接片とを電気的に導通させかつ前記円周方向で前記第１の方向とは逆の第２の方向に前記アクセサリー側コネクタが回転され前記アクセサリー側接片と前記電子機器側コネクタの接片とが離れるように前記案内部により案内される係合部が設けられ、前記アクセサリー側コネクタのアクセサリー側接片のうちの少なくとも一つは、前記アクセサリーを識別するための識別信号を受け取る識別信号用接片を含んでおり、前記識別信号用接片は、全ての前記アクセサリー側接片のうち、前記アクセサリー側端子面において前記第２の方向における最も端部に設けられていることを特徴とする。
【発明の効果】
【０００５】
そのため、本発明のアクセサリーシュー装置および電子機器並びにアクセサリーによれば、アクセサリー側コネクタを電子機器側コネクタから外す際、最初に電子機器側接片の識別信号用接片とアクセサリー側接片の識別信号用接片との接続が解除されるので、電子機器による識別信号の検出が停止されアクセサリーに対する電源供給と信号の授受を即座に停止することが可能となる。このため、本来対応しない電子機器側接片とアクセサリー側接片とが接触しても電子機器およびアクセサリーの双方の誤動作を防止でき、電子機器およびアクセサリーの動作の安定化を図ることができる。
また、電子機器側コネクタに対してアクセサリー側コネクタを仮想軸を中心とする円周方向に回転させることによって双方のコネクタの接片が導通されるので、電子機器側コネクタの周囲にアクセサリー側コネクタを装着させるための広いスペースを確保する必要がなく、電子機器およびアクセサリーの小型化を図る上で、あるいは、電子機器およびアクセサリーのデザイン性を向上させる上で極めて有利となり、また、限られたスぺースに多数の接片を配置することができ、アクセサリーの多様化に対応して増加する種々の信号を接続する上で有利となる。
【発明を実施するための最良の形態】
【０００６】
電子機器側コネクタおよびアクセサリー側コネクタの着脱時における電子機器およびアクセサリーの動作の安定化を図りつつ、電子機器およびアクセサリーの小型化およびデザイン性の向上を図ることができ、また、電子機器とアクセサリーとの間で授受される信号の増加に対応するという目的を、電子機器側コネクタに、第１の仮想軸に対して交差する方向に延在し電源用または信号授受用の接片が第１の仮想軸を中心とする円周方向に位置する電子機器側端子面を設け、アクセサリー側コネクタに、第２の仮想軸に対して交差する方向に延在し電源用または信号授受用の接片が第２の仮想軸を中心とする円周上に位置するアクセサリー側端子面を設け、これら仮想軸を中心とする円周方向にアクセサリー側コネクタが回転されることによってアクセサリー側コネクタの接片と電子機器側コネクタの接片とを電気的に導通させ、アクセサリー側コネクタを電子機器側コネクターから外すために第２の方向にアクセサリー側コネクタを回転した際に、アクセサリー側コネクタの識別信号用接片と電子機器側コネクタの識別信号用接片とは、全てのアクセサリー側接片および全ての電子機器側接片のうちで最も早く離れるように構成することにより実現した。
【実施例１】
【０００７】
次に本発明の実施例１について図面を参照して説明する。
図１は実施例１の電子機器を前方から見た斜視図、図２は電子機器に設けられた電子機器側コネクタの斜視図、図３は電子機器側コネクタの分解斜視図、図４はアクセサリーの斜視図、図５はアクセサリーに設けられたアクセサリー側コネクタの斜視図、図６は電子機器側コネクタとアクセサリー側コネクタが結合された状態を示す断面図、図７は電子機器側コネクタの接片とアクセサリー側コネクタの接片との位置関係を示す説明図である。
【０００８】
まず、電子機器について説明する。
図１に示すように、本実施例において電子機器１００はビデオカメラであり、外装を構成する矩形板状のケース１０２を有している。なお、本明細書において左右は、電子機器１００を前方から見た状態でいうものとし、また、光学系の光軸方向で被写体側を前方といい、撮像素子側を後方という。
ケース１０２の前面上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース１０２の後面上部には前記撮像素子によって撮像された被写体像を視認するための電子式ファインダー１０８が設けられている。
ケース１０２の右側面には前記撮像素子によって撮像された被写体像などを表示するためのディスプレイ１１０が開閉可能に設けられている。
ケース１０２の上面後部および左側面には、撮影スタートストップスイッチなどの操作スイッチ（不図示）や種々の設定を行うための設定スイッチ（不図示）が設けられている。
ケース１０２の上面前部には、平面視矩形状の凹部１１２が設けられ、該凹部１１２には蓋１１４が着脱可能に設けられている。凹部１１２の内部には電子機器側コネクタ１０が配設されており、電子機器コネクタ１０の非使用時には、凹部１１２に蓋１１４が装着されることで電子機器側コネクタ１０が外部に対して覆われ、電子機器コネクタ１０の使用時には、凹部１１２から蓋１１４が取り外されることで電子機器側コネクタ１０が外部に露出するように構成されている。
電子機器１００には、電子機器側コネクタ１０を介して後述するアクセサリー２００が装着される。
【０００９】
図２、図３に示すように、電子機器側コネクタ１０は、第１の仮想軸１００２に対して交差する方向に延在し（本実施例では直交する方向に延在し）複数の電子機器側接片１００４が第１の仮想軸１００２を中心とする円周上に位置するように設けられた電子機器側端子面１００６と、電子機器側端子面１００６の近傍に設けられ相手方のコネクタの端子面を電子機器側端子面１００６に合わせ第１の仮想軸１００２を中心とする円周方向に前記相手方のコネクタを回転させる案内部とを備えている。
複数の電子機器側接片１００４と前記相手方のコネクタの複数の接片は、相手方のコネクタの端子面を電子機器側端子面１００６に合わせ第１の仮想軸１００２を中心とする円周方向で第１の方向に前記相手方のコネクタを回転させることで双方が接触し、第１の仮想軸１００２を中心とする円周方向で第１の方向とは逆方向である第２の方向に相手方のコネクタを回転させることで双方が離れるように構成されている。
本実施例では、凹部１１２の底面に板部材１２が取着され、板部材１２に端子板１４が取着され、端子板１４にカバー１６が軸部材１８を介して配設されている。
板部材１２は、矩形板状の底板１２０２と、底板１２０２の一対の辺部から起立された２つの側板１２０４と、各側板１２０４の上縁から互いに近接する方向に屈曲された２つの上板１２０６（特許請求の範囲の板部材に相当）とを有している。
底板１２０２には矩形状の開口１２０８が設けられている。
２つの上板１２０６の互いに対向する箇所には第１の仮想軸１００２を中心として円弧状に延在する内周面１２１０が設けられ、各上板１２０６の下面で内周面１２１０の延在方向の一端には下方に向けて突出する凸部１２１２がそれぞれ設けられている。
【００１０】
端子板１４は、開口１２０８に嵌合される下板１４０２と、この下板１４０２の上に設けられ下板１４０２が開口１２０８に嵌合された状態で底板１２０２上に位置する上板１４０４とを有し、上板１４０４および下板１４０２の中央を通るように孔１４０６が貫設されている。
本実施例では、この孔１４０６の中心軸が第１の仮想軸１００２となっており、上板１４０２の上面が電子機器側端子面１００６となっており、電子機器側端子面１００６上に複数の電子機器側接片１００４が設けられている。
本実施例では、電子機器側端子面１００６上に、第１の仮想軸１００２を中心とする扇形状の領域に電子機器側接片１００４が設けられた接片領域Ａ１と、第１の仮想軸１００２を中心とする扇形状の領域に電子機器側接片１００４が設けられていない非接片領域Ａ２とが第１の仮想軸１００２の回りに位相をずらして交互に２つずつ設けられており、本実施例では接片領域Ａ１と非接片領域Ａ２とが９０度の間隔をおいて交互に設けられている。
本実施例では、複数の電子機器側接片１００４は、１個の電源供給用接片と、１個の基準電位用接片と、２個の識別信号用接片と、１０個の信号入出力用接片との合計１４個を有している。
詳細に説明すると、図７に示すように、２つの接片領域Ａ１のうち一方の接片領域Ａ１には、第１の仮想軸１００２を中心として最も小さい半径Ｒ１の円周上に単一の基準電位用接片ＧＮＤが半径Ｒ１の円周方向に接片領域Ａ１の全域にわたって延在している。
また、前記一方の接片領域Ａ１には、第１の仮想軸１００２を中心として半径Ｒ１よりも大きな半径Ｒ２の円周上に、信号入出力用接片ＭｉｃＲＲと、信号入出力用接片ＭｉｃＦＲと、識別信号用接片ＩＤ２との３つの電子機器側接片１００４が半径Ｒ２の円周方向に間隔をおいて前記第１の方向（紙面時計回り方向）に沿ってこの順番で設けられている。
また、前記一方の接片領域Ａ１には、第１の仮想軸１００２を中心として半径Ｒ２よりも大きな半径Ｒ３の円周上に、信号入出力用接片ＭｉｃＲＬと、信号入出力用接片ＭｉｃＦＬと、識別信号用接片ＩＤ１との３つの電子機器側接片１００４が半径Ｒ３の円周方向に間隔をおいて前記第１の方向に沿ってこの順番で設けられている。
したがって、識別信号用接片ＩＤ２、ＩＤ１は、一方の接片領域Ａ１に設けられる全ての電子機器側接片１００４の中で前記第１の方向の最も端部に位置している。
【００１１】
また、２つの接片領域Ａ１のうち他方の接片領域Ａ１には、前記半径Ｒ１の円周上に単一の電源供給用接片Ｖが半径Ｒ１の円周方向に該接片領域Ａ１の全域にわたって延在している。
また、前記他方の接片領域Ａ１には、前記半径Ｒ２の円周上に、信号入出力用接片Ｓｔｒｏｂｏと、信号入出力用接片ＵＳＢ＋と、信号入出力接片Ｓとの３つの電子機器側接片１００４が半径Ｒ２の円周方向に間隔をおいて前記第１の方向に沿ってこの順番で設けられている。
また、前記他方の接片領域Ａ１には、前記半径Ｒ３の円周上に、信号入出力用接片ＭｉｃＧＮＤと、信号入出力用接片ＵＳＢ−と、未使用の信号入出力用接片ＮＣとの３つの電子機器側接片１００４が半径Ｒ３の円周方向に間隔をおいて前記第１の方向に沿ってこの順番で設けられている。
したがって、信号入出力接片Ｓおよび信号入出力用接片ＮＣは、他方の接片領域Ａ１に設けられる全ての電子機器側接片１００４の中で前記第１の方向の最も端部に位置している。
【００１２】
なお、図３において、符号１４０８は、電子機器側接片１００４に接続され下板１４０２の下方に突出するリードピンを示しており、リードピン１４０８は不図示のフレキシブル基板に半田付けなどで接続される。本実施例では、電子機器側接片１００４およびリードピン１４０８は銅にニッケルおよび金の合金をめっきした材料を用いている。
【００１３】
軸部材１８は孔１４０６に挿入され孔１４０６により回転可能に支持される軸部１８０２と、軸部１８０２の上端に設けられ電子機器側端子面１００６上に位置する円柱状の中間部１８０４と、中間部１８０４の上部に設けられた上部１８０６とを有し、中間部１８０４および上部１８０６が電子機器側端子面１００６上から突出している。上部１８０６は、中間部１８０４よりも大きな外径の円柱部１８０８と、円柱部１８０８の側部から突出する突出部１８１０とを有している。
カバー１６は、その中央の孔１６０２に中間部１８０４が嵌合固定され上板１４０４上で軸部材１８と一体的に回転するように配設され、カバー１６は接片領域Ａ１を覆う２つの扇形部１６０４を有している。これらの扇形部１６０４はカバー１６の回転により接片領域Ａ１を覆いかつ非接片領域Ａ２を露出させる第１の位置と、接片領域Ａ１を露出させかつ非接片領域Ａ２を覆う第２の位置とになるように設けられている。
本実施例では、カバー１６はポリカーボネートで構成され、アクセサリー２００の非使用時にカバー１６の扇形部１６０４は前記第１の位置に位置し、電子機器側接片１００４を保護している。
【００１４】
次にアクセサリー２００について説明する。
図４に示すように、本実施例においてアクセサリー２００は電子機器１００に比較して外形が小さな小型カメラであり、この小型カメラは例えば電子機器１００の撮影と同時に該電子機器１００とは異なった方向の被写体や、電子機器１００とは異なった撮影倍率で電子機器１００と同じ被写体や異なった被写体の撮影を行うようにしたものである。
アクセサリー２００は、外装を構成する矩形板状のケース２０２を有し、ケース２０２の前面には、撮影光学系２０４が組み込まれた鏡筒２０６が前方に臨んで設けられている。
ケース２０２の内部には、撮影光学系２０４によって導かれた被写体像を撮像する撮像素子、該撮像素子によって生成された撮像信号を処理して後述するアクセサリー側コネクタ２０へ出力する信号処理部などが収容されている。
ケース２０２の下面には、下方に突出する円柱状の連結部２０８がケース２０２と一体的に設けられている。連結部２０８の下部には該連結部２０８の中心軸を中心としてアクセサリー側コネクタ２０が回転可能に連結されている。なお、図中符号２１０は連結部２０８に対してアクセサリー側コネクタ２０を固定する固定ねじである。
【００１５】
図４、図５に示すように、アクセサリー側コネクタ２０は、第２の仮想軸２００２に対して交差する方向に延在し（本実施例では直交する方向に延在し）複数のアクセサリー側接片２００４が第２の仮想軸２００２を中心とする円周上に位置するように設けられたアクセサリー側端子面２００６と、アクセサリー側端子面２００６の近傍に設けられ電子機器側コネクタ１０の案内部に係合し電子機器側端子面１００６にアクセサリー側端子面２００６を合わせ第１の仮想軸１００２および第２の仮想軸２００２を一致させてこれら仮想軸１００２、２００２を中心とする円周方向にアクセサリー側コネクタ２０が回転されアクセサリー側接片２００４と電子機器側コネクタ１０の電子機器側接片１００４とを電気的に導通させるように前記案内部により案内される係合部とを備える。
複数のアクセサリー側接片２００４は、アクセサリー側端子面２００６を電子機器側端子面１００６に合わせ第１の仮想軸１００２と第２の仮想軸２００２を合致させこれら第１、第２仮想軸１００２、２００２を中心とする円周方向で第１の方向にアクセサリー側コネクタ２０を回転させることで複数の電子機器側接片１００４に接触し、第１、第２仮想軸１００２、２００２を中心とする円周方向で第１の方向とは逆方向である第２の方向にアクセサリー側コネクタ２０を回転させることで双方の接片が離れるように構成されている。
本実施例では、アクセサリー側コネクタ２０は、連結部２０８の下部に連結される円柱状の軸状の部材２２を有し、軸状の部材２２の下部外周に形成された雄ねじ２２０２に締め付けリング２４が螺合されている。軸状の部材２２の下端には該軸状の部材２２より小径の軸部２６が設けられ、軸部２６の先端面（下端面）２６０２には端子板２８が設けられている。
軸部２６の先端面２６０２の中心には、軸部材１８の上部１８０６に係合する形状をなす孔部２６０４が形成され、本実施例では、この孔部２６０４の中心軸が第２の仮想軸２００２となっている。軸部２６の先端面２６０２から離れた軸状の部材２２の箇所には第２の仮想軸２００２を中心とする外周面２６０６が形成されており、外周面２６０６は電子機器側コネクタ１０の内周面１２１０に接触し第２の仮想軸２００２の円周方向に案内されるように設けられている。
端子板２８は、扇状をなし第２の仮想軸２００２を中心として１８０度対称な位置に２つ配設され、軸部材１８の上部１８０６が孔部２６０４に係合した状態で、２つの端子板２８は２つのカバー１６の間の空間を介して電子機器側端子面１００６に対面するように構成されている。
本実施例では、２つの端子板２８の下面がそれぞれアクセサリー側端子面２００６となっており、２つのアクセサリー側端子面２００６にそれぞれ複数のアクセサリー側接片２００４が設けられている。
本実施例では、アクセサリー側接片２００４はアクセサリー側端子面２００６上において第２の仮想軸２００２を中心とした異なった半径の円周上に設けられた複数の接続ピン２８０２によって構成されている。
各接続ピン２８０２はアクセサリー側端子面２００６から下方に突出して設けられ、各接続ピン２８０２は突出方向に常時付勢されている。
また、本実施例では、接続ピン２８０２は銅にニッケルおよび金の合金をめっきした材料を用いている。
【００１６】
本実施例では、複数のアクセサリー側接片２００４は、１個の電源供給用接片と、１個の基準電位用接片と、２個の識別信号用接片と、１０個の信号入出力用接片との合計１４個を有している。
詳細に説明すると、図７に示すように、２つのアクセサリー側端子面２００６のうち一方のアクセサリー側端子面２００６には、第２の仮想軸２００２を中心として前記半径Ｒ１と同じ半径Ｒ１１の円周上に単一の基準電位用接片ＧＮＤ´が設けられている。基準電位用接片ＧＮＤは該アクセサリー側端子面２００６における前記第１の方向の端部に設けられている。
また、前記一方のアクセサリー側端子面２００６には、第２の仮想軸２００２を中心として前記半径Ｒ２と同じ半径のＲ１２の円周上に、信号入出力用接片ＭｉｃＲＲ´と、信号入出力用接片ＭｉｃＦＲ´と、識別信号用接片ＩＤ２´との３つのアクセサリー側接片２００４が半径Ｒ１２の円周方向に間隔をおいて前記第１の方向（紙面時計回り方向）に沿ってこの順番で設けられている。
また、前記一方のアクセサリー側端子面２００６には、第２の仮想軸２００２を中心として前記半径Ｒ３と同じ半径Ｒ１３の円周上に、信号入出力用接片ＭｉｃＲＬ´と、信号入出力用接片ＭｉｃＦＬ´と、識別信号用接片ＩＤ１´との３つのアクセサリー側接片２００４が半径Ｒ１３の円周方向に間隔をおいて前記第１の方向に沿ってこの順番で設けられている。
したがって、識別信号用接片ＩＤ２´、識別信号用接片ＩＤ１´は一方のアクセサリー側端子面２００６において前記第１の方向の端部に設けられている。
【００１７】
また、２つのアクセサリー側端子面２００６のうち他方のアクセサリー側端子面２００６には、前記半径Ｒ１１の円周上に単一の電源供給用接片Ｖ´が設けられている。電源供給用接片Ｖ´は、前記他方のアクセサリー側端子面２００６における前記第２の方向の端部に設けられている。
また、前記他方のアクセサリー側端子面２００６には、前記半径Ｒ１２の円周上に、信号入出力用接片Ｓｔｒｏｂｏ´と、信号入出力用接片ＵＳＢ＋´と、信号入出力接片Ｓ´との３つのアクセサリー側接片２００４が半径Ｒ１２の円周方向に間隔をおいて前記第１の方向に沿ってこの順番で設けられている。
また、前記他方のアクセサリー側端子面２００６には、前記半径Ｒ１３の円周上に、信号入出力用接片ＭｉｃＧＮＤ´と、信号入出力用接片ＵＳＢ−´と、未使用の信号入出力用接片ＮＣ´との３つのアクセサリー側接片２００４が半径Ｒ１３の円周方向に間隔をおいて前記第１の方向に沿ってこの順番で設けられている。
したがって、信号入出力接片Ｓ´、信号入出力用接片ＮＣ´は前記他方のアクセサリー側端子面２００６において前記第１の方向の端部に設けられている。
また、信号入出力用接片Ｓｔｒｏｂｏ´は前記他方のアクセサリー側端子面２００６において前記第２の方向の端部に設けられている。
【００１８】
また、図６に示すように、各端子板２８の外縁部２８０４は軸部２６の外周よりも外側にかつ軸状の部材２２の外周よりも内側に位置している。これら各端子板２８の外縁部２８０４は、軸部材１８の上部１８０６が孔部２６０４に係合した状態で一対の上板１２０６の下面よりも下方に位置しており、アクセサリー側コネクタ２０がカバー１６とともに第１の仮想軸１００２および第２の仮想軸２００２を中心に回転されることで、外縁部２８０４は、一対の上板１２０６の下方に臨む位置と、一対の上板１２０６の間の位置とになるように設けられている。
また、端子板２８の周方向の一方に位置する縁部２８０６が電子機器側コネクタ１０の凸部１２１２（特許請求の範囲のストッパに相当）に係合することでアクセサリー側コネクタ２０の第１の仮想軸１００２および第２の仮想軸２００２を中心とする円周方向の回転を、接続ピン２８０２と電子機器側コネクタ１０の電子機器側接片１００４とを電気的に導通させる回転角度で停止させるように構成されている。
締め付けリング２４は、図６に示すように、軸部材１８の上部１８０６が孔部２６０４に係合し各端子板２８の外縁部２８０４が一対の上板１２０６の下方に臨む位置になった状態で、下方に移動するように回動されることで、該締め付けリング２４と各端子板２８との間で一対の上板１２０６を挟持固定するように構成されている。すなわち、締め付けリング２４により、アクセサリー側コネクタ２０が電子機器側コネクタ１０に固定され、アクセサリー２００が電子機器１００に装着される。
本実施例では、これら締め付けリング２４、各端子板２８および一対の上板１２０６によって、電子機器側コネクタ１０の電子機器側接片１００４とアクセサリー側コネクタ２０の接続ピン２８０２とを電気的に導通させた状態で双方のコネクタを着脱可能に固定する固定手段が構成されている。
また、本実施例では、電子機器側コネクタ１０の各内周面１２１０にアクセサリー側コネクタ２０の軸部２６の外周面２６０６が接触するとともに、孔部２６０４に軸部材１８の上部１８０６が係合されることで、第１の仮想軸１００２および第２の仮想軸２００２が一致される、アクセサリー側コネクタ２０がそのアクセサリー側端子面２００６を電子機器側コネクタ１０の電子機器側端子面１００６に合わされる。そして、この状態でこれら第１の仮想軸１００２および第２の仮想軸２００２を中心とする円周方向にアクセサリー側コネクタ２０が回転されることで電子機器側接片１００４と接続ピン２８０２とが電気的に導通されるようにアクセサリー側コネクタ２０が案内される。
したがって、電子機器側コネクタ１０の各内周面１２１０により電子機器側コネクタ１０の前記案内部が構成され、また、軸部材１８によっても電子機器側コネクタ１０の前記案内部が構成されている。
また、アクセサリー側コネクタ２０の軸部２６の外周面２６０６によりアクセサリー側コネクタ２０の前記係合部が構成され、また、孔部２６０４によってもアクセサリー側コネクタ２０の前記係合部が構成されている。
また、電子機器側コネクタ１０およびアクセサリー側コネクタ２０によってアクセサリーシュー装置が構成されている。
【００１９】
次に、上述した電子機器側接片１００４およびアクセサリー側接片２００４の機能について説明する。
電子機器側コネクタ１０の電源供給用接片Ｖとアクセサリー側コネクタ２０の電源供給用接片Ｖ´は、互いに接続されることで電子機器１００が有する電源をアクセサリー２００に供給するためのものである。
電子機器側コネクタ１０の基準電位用接片ＧＮＤとアクセサリー側コネクタ２０の基準電位用接片ＧＮＤ´は、互いに接続されることで電子機器１００の電源の基準電位および以下に説明する各電気信号の基準電位をアクセサリー２００に供給するためのものであり、本実施例では基準電位がグランドレベルとなっている。
【００２０】
電子機器側コネクタ１０の入出力信号用接片ＭｉｃＲＲ、ＭｉｃＦＲ、ＭｉｃＲＬ、ＭｉｃＦＬ、ＭｉｃＧＮＤと、アクセサリー側コネクタ２０の入出力信号用接片ＭｉｃＲＲ´、ＭｉｃＦＲ´、ＭｉｃＲＬ´、ＭｉｃＦＬ´、ＭｉｃＧＮＤ´とは、それぞれが接続されることで、４チャンネル分の音声信号（電気信号）をアクセサリー２００から電子機器１００に伝達するためのものである。
具体的に言えば、電子機器側コネクタ１０の入出力信号用接片ＭｉｃＲＲおよびアクセサリー側コネクタ２０の入出力信号用接片ＭｉｃＲＲ´は、これらが接続することでリア側（後方）右チャンネルの音声信号を伝達する。以下同様に、入出力信号用接片ＭｉｃＦＲ、ＭｉｃＦＲ´は、これらが接続することでフロント側（前方）右チャンネルの音声信号を伝達する。入出力信号用接片ＭｉｃＲＬ、ＭｉｃＲＬ´は、これらが接続することでリア側（後方）左チャンネルの音声信号を伝達する。入出力信号用接片ＭｉｃＦＬ、ＭｉｃＦＬ´は、これらが接続することでフロント側（前方）左チャンネルの音声信号を伝達する。入出力信号用接片ＭｉｃＧＮＤ、ＭｉｃＧＮＤ´は、これらが接続することでこれら４チャンネルの音声信号の共通グランドレベルを伝達する。
【００２１】
電子機器側コネクタ１０の入出力信号用接片Ｓｔｒｏｂｅおよびアクセサリー側コネクタ１０の入出力信号用接片Ｓｔｒｏｂｅは、これらが接続することで、アクセサリー２００に発光制御を行うためのストロボ信号（電気信号）を供給するためのものである。
電子機器側コネクタ１０の入出力信号用接片ＵＳＢ＋、ＵＳＢ−と、アクセサリー側コネクタ２０の入出力信号用接片ＵＳＢ＋´、ＵＳＢ−´は、これらがそれぞれ接続することで、電子機器１００とアクセサリー２００との間で種々のデータをＵＳＢ信号（電気信号）によって授受するためのものである。前記データとしては、画像データ（静止画、動画）、音声データなどが含まれる。
電子機器側コネクタ１０の入出力信号用接片Ｓおよびアクセサリー側コネクタ２０の入出力信号用接片Ｓ´は、これらが接続することで電子機器１００とアクセサリー２００との間で種々の制御信号（電気信号）を授受するためのものである。前記制御信号は電子機器１００からアクセサリー２００に送信されるものであっても、アクセサリー２００から電子機器１００に送信されるものであっても、あるいは、電子機器１００とアクセサリー２００との間で双方向に送信されるものであってもよい。
電子機器側コネクタ１０の入出力信号用接片ＮＣおよびアクセサリー側コネクタ２０の入出力信号用接片ＮＣ´は、これらが接続されることで、将来拡張される信号（電気信号）を電子機器１００とアクセサリー２００との間で授受するために用意されている。この拡張される信号も、電子機器１００からアクセサリー２００に送信されるものであっても、アクセサリー２００から電子機器１００に送信されるものであっても、あるいは、電子機器１００とアクセサリー２００との間で双方向に送信されるものであってもよい。
【００２２】
電子機器側コネクタ１０の識別信号用接片ＩＤ１、ＩＤ２と、アクセサリー側コネクタ２０の識別信号用接片ＩＤ１´、ＩＤ２´は、それぞれが接続されることで、電子機器１００からアクセサリー２００にアクセサリー２００の種類を識別するための識別信号をそれぞれ供給するためのものである。
具体的に言えば、アクセサリー側コネクタ２０の一方の識別信号用接片ＩＤ１´および基準電位用接片ＧＮＤ´の間に第１の抵抗値を有する抵抗手段が接続され、アクセサリー側コネクタ２０の他方の識別信号用接片ＩＤ２´および基準電位用接片ＧＮＤ´の間に第２の抵抗値を有する抵抗手段が接続されている。これら第１、第２の抵抗値は、アクセサリー２００の種類に対応して設定されている。
したがって、電子機器１００は、電子機器側コネクタ１０の識別信号用接片ＩＤ１、ＩＤ２と、アクセサリー側コネクタ２０の識別信号用接片ＩＤ１´、ＩＤ２´とそれぞれが接続された状態で、電子機器側コネクタ１０の各識別用接片ＩＤ１、ＩＤ２にそれぞれ前記識別信号を供給しこれらアクセサリー側コネクタ２０の識別信号用接片ＩＤ１´、ＩＤ２´を介して伝達された前記各識識別信号の特性（例えば電流、電圧）に基づいて前記各抵抗手段の抵抗値をそれぞれ検出することでアクセサリー２００の種類を識別することが可能となる。
本実施例では、アクセサリー側コネクタ２０の各識別用接片ＩＤ１´、ＩＤ２´に接続される前記抵抗手段の抵抗値の設定条件は以下のとおりである。
すなわち、２つの抵抗手段の抵抗値が０オーム（ショート状態）に設定されることは禁止する。２つの抵抗手段のうち一方の抵抗値が抵抗値無限大（オープン状態）に設定されることは許容するが、２つの抵抗手段の双方が抵抗値無限大（オープン状態）に設定されることは禁止する。
電子機器１００は、識別用接片ＩＤ１、ＩＤ２に供給した識別信号がアクセサリー２００から伝達された場合には、アクセサリー２００が装着されていると判断してアクセサリー２００に対する電源供給やアクセサリー２００との信号の授受を開始するが、電子機器１００は、識別用接片ＩＤ１、ＩＤ２に供給した識別信号がアクセサリー２００から伝達されない（戻らない）場合には、アクセサリー２００が未装着と判断してアクセサリー２００に対する電源供給やアクセサリー２００との信号の授受を開始しないように構成されている。また、識別用接片ＩＤ１、ＩＤ２に供給した識別信号の少なくとも一方が基準電位に対して短絡した状態が検出された際には、電子機器１００およびアクセサリー２００の誤動作や故障を防止するために電源供給やアクセサリー２００との信号の授受を禁止するように構成されている。
また、電子機器１００から供給される前記識別信号は例えば所定周期で生成されるパルス信号などで構成されており、言い換えれば電子機器１００かによる前記識別信号の検出動作は前記所定周期で行われていることになる。
【００２３】
次に電子機器側コネクタ１０およびアクセサリー側コネクタ２０の使用方法について説明する。
電子機器１００にアクセサリー２００を装着する場合には、蓋１１４を取り外して電子機器側コネクタ１０をケース１０２の外部に露出させ、アクセサリー側コネクタ２０を電子機器側端子面１００６に向かって直線的に移動させ、アクセサリー側コネクタ２０の軸部２６の外周面２６０６を電子機器側コネクタ１０の各内周面１２１０に当て付けるとともに、アクセサリー側コネクタ２０の孔部２６０４を電子機器側コネクタ１０の軸部材１８に係合させる。これにより、第１の仮想軸１００２および第２の仮想軸２００２が一致され、アクセサリー側コネクタ２０のアクセサリー側端子面２００６が電子機器側コネクタ１０の電子機器側端子面１００６に合わされるとともに、各アクセサリー側接片２００４の先端は電子機器側端子面１００６に当接された状態となる。
この状態で、アクセサリー側コネクタ２０を第１の仮想軸１００２および第２の仮想軸２００２を中心とする円周方向で前記第１の方向に回転させると、各アクセサリー側接片２００４の先端は電子機器側端子面１００６および該電子機器側端子面１００６の電子機器側接片１００４に摺接しつつ移動し、かつ、カバー１６の扇形部１６０４はアクセサリー側コネクタ２０の端子板２８とともに回転され前記第１の位置から第２の位置に向かって回転する。扇形部１６０４が第２の位置に至ると端子板２８の縁部２８０６が凸部１２１２に当接し、アクセサリー側コネクタ２０の回転方向の位置が位置決めされる。これにより、各アクセサリー側接片２００４はそれぞれ対応する各電子機器側接片１００４と電気的に導通する。
次いで締め付けリング２４を回動させると、締め付けリング２４と各端子板２８との間で一対の上板１２０６が挟持固定され、これによりアクセサリー側コネクタ２０が電子機器側コネクタ１０に固定され、アクセサリー２００が電子機器１００に装着される。
これによりアクセサリー２００による撮影と、電子機器１００による撮影とを同時に行うことが可能となる。なお、アクセサリー２００で生成された撮像信号は前記ＵＳＢ信号としてアクセサリー側コネクタ２０から電子機器側コネクタ１０を介して電子機器１００に伝達され、電子機器１００では伝達された前記撮像信号に対して必要な信号処理を行う。
【００２４】
ここで、電子機器側コネクタ１０にアクセサリー側コネクタ２０を接続する際における電子機器側接片１００４およびアクセサリー側接片２００４の接触状態の変化を詳細に説明する。
図８は電子機器側接片１００４およびアクセサリー側接片２００４の接触状態の変化を説明する状態遷移図である。
図８に示すように、状態０、１、２、……、９、１０、１１はアクセサリー側端子２０が第１の方向に回転される場合の状態の変化を順に示している。
状態０は第１の仮想軸１００２および第２の仮想軸２００２が一致され、アクセサリー側コネクタ２０のアクセサリー側端子面２００６が電子機器側コネクタ１０の電子機器側端子面１００６の非接触領域Ａ２に合わされ、各アクセサリー側接片２００４の先端が電子機器側端子面１００６の非接触領域Ａ２に当接した状態に対応している。
状態１〜１０は状態１および状態１１の中間状態を示している。
状態１１は端子板２８の縁部２８０６が凸部１２１２に当接し、アクセサリー側コネクタ２０の回転方向の位置が位置決めされ全てのアクセサリー側接片２００４がそれぞれ対応する各電子機器側接片１００４と電気的に導通した状態に対応している。
そして、図８における左側の欄には、電子機器側接片１００４を構成する１４個の接片の名称が示されており、状態１〜１０に対応する各欄にはその状態において各電子機器側接片１００４に接触している各アクセサリー側接片２００４の名称が示されている。各欄のうち名称がない空白の欄は何れのアクセサリー側接片２００４とも接触していないことを示している。
図８に基づいてアクセサリー側端子１０を前記第１の方向に回転させたときの状態の変化を順番に説明する。
まず、状態０では、電子機器側接片１００４の何れにもコネクタ側接片２００４が接触していない。
アクセサリー側コネクタ２０を第１の方向に回転すると（状態１）、全てのアクセサリー側接片２００４および全ての電子機器側接片１００４のうち、最も早くアクセサリー側接片２００４の基準電位用接片ＧＮＤ´が電子機器側接片１００４の基準電位用接片ＧＮＤに接触する。この接触は状態１〜１１の間維持される。
このように基準電位用接片ＧＮＤ、ＧＮＤ´が最初に接続されることで、アクセサリー２００と電子機器１００の基準電位が即座にグランドレベルとなるので、静電ノイズなどの影響を受けにくくなりアクセサリー２００および電子機器１００の動作の安定化が図られる。
アクセサリー側コネクタ２０が第１の方向にさらに回転され状態２〜状態８に移ると、この過程において、全ての電子機器側接片１００４のうち、信号入出力用接片ＭｉｃＦＬ、ＭｉｃＦＲ、ＭｉｃＲＬ、ＭｉｃＲＲ、ＵＳＢ＋、ＵＳＢ−、ＭｉｃＧＮＤ、Ｓｔｒｏｂｏには、これら接片のそれぞれと本来対応しないアクセサリー側接片２００４が一時的に接触される。
しかしながら、全ての電子機器側接片１００４のうち、識別信号用接片ＩＤ１、ＩＤ２には、これら識別信号用接片ＩＤ１、ＩＤ２のそれぞれと本来対応しないアクセサリー側接片２００４が一時的に接触されることがなく、電子機器１００から識別信号がアクセサリー２００に誤って供給されることも、電子機器１００が誤った識別信号を検出することもない。
また、全ての電子機器側接片１００４のうち、信号入出力用接片Ｓにも、信号入出力用接片Ｓと本来対応しないアクセサリー側接片２００４が一時的に接触されることがなく、電子機器１００とアクセサリー２００との間で制御信号が誤って伝達されることがない。
アクセサリー側コネクタ２０が第１の方向にさらに回転され状態９に移ると、全ての電子機器側接片１００４のうち、電源供給用接片Ｖにアクセサリー側コネクタ２０の電源供給用接片Ｖ´が接続されるとともに、信号入出力用接片Ｓ、ＮＣ、ＭｉｃＦＬ、ＭｉｃＦＲ、ＭｉｃＲＬ、ＭｉｃＲＲ、ＵＳＢ＋、ＵＳＢ−、ＭｉｃＧＮＤ、Ｓｔｒｏｂｏには、これら接片のそれぞれと本来対応するアクセサリー側接片２００４がほぼ同時に接触される。
この状態９においても識別信号用接片ＩＤ１、ＩＤ２には、これら識別信号用接片ＩＤ１、ＩＤ２のそれぞれと本来対応しないアクセサリー側接片２００４が一時的に接触されることがないため、電子機器１００が誤った識別信号を検出することがない。
したがって、状態９では、全ての電子機器側接片１００４のうち、識別信号用接片ＩＤ１、ＩＤ２を除く電子機器側接片１００４のそれぞれに、本来対応するアクセサリー側接片２００４のそれぞれが接続された状態となる。ただし、この状態では、電子機器側接片１００４の識別信号用接片ＩＤ１、ＩＤ２には、アクセサリー側接片２００４の識別信号用接片ＩＤ１´、ＩＤ２´が接続されていないので、電子機器１００はアクセサリー２００が未装着であると判断して電源供給用接片Ｖに対する電源供給は開始しない。
アクセサリー側コネクタ２０が第１の方向にさらに回転され状態１０、１１に移ると、電子機器側接片１００４の識別信号用接片ＩＤ１、ＩＤ２に、アクセサリー側接片２００４の識別信号用接片ＩＤ１´、ＩＤ２´が接続されるので、電子機器１００はアクセサリー２００が装着されたことを判定するとともにアクセサリー２００の種類を識別し、電源供給用接片Ｖに対する電源供給を開始する。
したがって、電子機器１００は、全ての電子機器側接片１００４のうち、識別信号用接片ＩＤ１、ＩＤ２を除く電子機器側接片１００４のそれぞれに、本来対応するアクセサリー側接片２００４のそれぞれが接続された状態９の後で、電子機器側接片１００４の識別信号用接片ＩＤ１、ＩＤ２に、アクセサリー側接片２００４の識別信号用接片ＩＤ１´、ＩＤ２´が接続されるため、電子機器側接片１００４とアクセサリー側接片２００４との間での電源の供給および信号の授受が確実に行われる。さらに本実施例では、電子機器側接片１００４の識別信号用接片ＩＤ１、ＩＤ２には、アクセサリー側接片２００４の識別信号用接片ＩＤ１´、ＩＤ２´のみが接触するので、子機器側接片１００４とアクセサリー側接片２００４との間での電源の供給および信号の授受がより確実に行われる。
【００２５】
電子機器１００からアクセサリー２００を取り外す場合には、締め付けリング２４を回動させることでアクセサリー側コネクタ２０と電子機器側コネクタ１０との固定を解除する。
次いでアクセサリー側コネクタ２０を第１の仮想軸１００２および第２の仮想軸２００２を中心とする円周方向で第１の方向とは反対方向である第２の方向に回転させると、カバー１６の扇形部１６０４はアクセサリーコネクタ２０の端子板２８とともに回転され前記第２の位置から第１の位置に移動する。これにより、各アクセサリー側接片２００４と各電子機器側接片１００４との電気的な導通が解除され、アクセサリー側コネクタ２０の端子板２８が一対の非接片領域Ａ２上に位置し、一対の上板１２０６から離れた箇所に位置する。
この状態で、アクセサリー側コネクタ２０を第１の仮想軸１００２および第２の仮想軸２００２に沿って電子機器側端子面１００６から離間させる方向に直線的に動かすことにより、アクセサリー側コネクタ２０の孔部２６０４と電子機器側コネクタ１０の電子機器側コネクタ１０の軸部材１８との係合が解除され、アクセサリー２００が電子機器１００から取り外される。
【００２６】
ここで、電子機器側コネクタ１０とアクセサリー側コネクタ２０との接続を解除する際における電子機器側接片１００４およびアクセサリー側接片２００４の接触状態の変化を詳細に説明する。
図８に基づいてアクセサリー側端子１０を前記第２の方向に回転させたときの状態の変化を順番に説明する。
まず、状態１１、１０では、全ての電子機器側接片１００４のそれぞれが本来対応するアクセサリー側接片２００４のそれぞれに接続されている。
アクセサリー側コネクタ２０が第２の方向にさらに回転され状態９になると、全ての電子機器側接片１００４のうち、最も早く識別信号用接片ＩＤ１、ＩＤ２からアクセサリー側接片２００４の識別信号用接片ＩＤ１´、ＩＤ２´が離れそれらの接続が解除されるので、電子機器１００は識別信号の検出が停止されることにより、アクセサリー２００が未装着であると判断してアクセサリー２００に対する電源供給やアクセサリー２００との信号の授受を停止する。
アクセサリー側端子１０が前記第２の方向にさらに回転され状態８となると、電子機器側接片１００４のうち電源供給用接片Ｖからアクセサリー側接片２００４の電源供給用接片Ｖ´が離れる。すなわち、本実施例では、アクセサリー側コネクタ２０の電源供給用接片Ｖ´と電子機器側コネクタ１０の電源供給用接片Ｖとは、第２の方向にアクセサリー側コネクタ２０を回転した際に、アクセサリー側コネクタ２０の識別信号用接片ＩＤ１´、ＩＤ２´と電子機器側コネクタ１０の識別信号用接片ＩＤ１、ＩＤ２とが離れた後で離れるように構成されているので、
また、アクセサリー側端子１０が前記第２の方向にさらに回転され状態８〜２になると、アクセサリー側接片２００４のそれぞれが、本来対応する電子機器側接片１００４とは異なる電子機器側接片１００４が接触するが、状態８よりも前の状態９の時点でアクセサリー２００に対する電源供給やアクセサリー２００との信号の授受が停止されているため、アクセサリー側接片２００４および電子機器側接片１００４に予期しない信号が流れることはない。また、電子機器１００による前記識別信号の検出動作が周期的に行われていたとしても、状態９から状態８に遷移する時間内に前記検出動作が行われれば、アクセサリー側接片２００４および電子機器側接片１００４に予期しない信号が流れることはない。
また、状態８〜２においても識別信号用接片ＩＤ１、ＩＤ２には、これら識別信号用接片ＩＤ１、ＩＤ２のそれぞれと本来対応しないアクセサリー側接片２００４が一時的に接触されることがないため、すなわち、識別信号用接片ＩＤ１、ＩＤ２には、アクセサリー側接片２００４の識別信号用接片ＩＤ１´、ＩＤ２´のみが接触するので、電子機器側接片１００４とアクセサリー側接片２００４との間での電源の供給および信号の授受がより確実に行われる。
そして、アクセサリー側コネクタ２０が第２の方向に回転され状態１を経て状態０に至ると、全ての電子機器側接片１００４と全てのアクセサリー側接片２００４との接触が完全に解除される。
【００２７】
本実施例によれば、電子機器側コネクタ１０に対してアクセサリー側コネクタ２０を第１の仮想軸１００２および第２の仮想軸２００２を中心とする円周方向に回転させることによって双方のコネクタの接片が導通されるので、電子機器側コネクタ１０の周囲にアクセサリー側コネクタ２０を装着させるための広いスペースを確保する必要がなく、電子機器１００およびアクセサリー２００の小型化を図る上で、あるいは、電子機器１００およびアクセサリー２００のデザイン性を向上させる上で極めて有利となる。
また、電子機器側コネクタ１０に対してアクセサリー側コネクタ２０を円周方向に回転させることによって双方の接片が導通されるので、従来のように直線的にスライドさせることで双方の接片を導通させる構造に比べ、限られたスぺース内に多数の接片を配置することが可能となり、アクセサリーの多様化に対応して増加する種々の信号を接続する上で有利となる。例えば、本実施例では、図６に示したように、４チャンネル分のマイク信号、ストロボ信号、撮像信号、識別信号、電源などの多数の信号を電子機器１００とアクセサリー２００の間で授受することができ、アクセサリー２００としてマイクロフォン、ストロボ装置、照明装置、小型カメラなどを用いることができる。
【００２８】
また、本実施例によれば、アクセサリー側コネクタ２０を電子機器側コネクタ１０から外す際、最初に電子機器側接片１００４の識別信号用接片ＩＤ１、ＩＤ２とアクセサリー側接片２００４の識別信号用接片ＩＤ１´、ＩＤ２´との接続が解除されるので、電子機器１００による識別信号の検出が停止されアクセサリー２００に対する電源供給と信号の授受が即座に停止される。このため、本来対応しない電子機器側接片１００４とアクセサリー側接片２００４とが接触しても電子機器１００およびアクセサリー２００の双方の誤動作を防止することができる。
また、アクセサリー側コネクタ２０を電子機器側コネクタ１０に装着する際、電子機器側接片１００４の識別信号用接片ＩＤ１、ＩＤ２とアクセサリー側接片２００４の識別信号用接片ＩＤ１´、ＩＤ２´とを除く、他の全ての電子機器側接片１００４とアクセサリー側接片２００４との接続がなされた後で、電子機器側接片１００４の識別信号用接片ＩＤ１、ＩＤ２とアクセサリー側接片２００４の識別信号用接片ＩＤ１´、ＩＤ２´とが接続され、これにより電子機器１００による識別信号の検出に基づいてアクセサリー２００に対する電源供給と信号の授受がなされるので、電子機器１００によるアクセサリー２００に対する電源供給と信号の授受が確実になされる。
また、アクセサリー側コネクタ２０を電子機器側コネクタ１０に装着、取り外しする際に、電子機器側接片１００４の識別信号用接片ＩＤ１、ＩＤ２はアクセサリー側接片２００４のうちの識別信号用接片ＩＤ１´、ＩＤ２´を除く接片に接触しないので、前記識別信号がアクセサリー側接片２００４のうち識別信号用接片ＩＤ１´、ＩＤ２´を除く他の接片に供給され電子機器１００が誤った識別信号を検出することがなく、アクセサリー１００の識別を確実に行う上で有利となる。
【００２９】
また、本実施例では、電子機器側接片１００４のうち電源供給用接片Ｖを接片領域Ａ１の円周方向の全域に延在形成したため、円周方向の大きさを確保することができ、したがって、アクセサリー側接片２００４の電源供給用接片Ｖ´を複数設けることができる。このようにアクセサリー側接片２００４の電源供給用接片Ｖ´を複数設けると、電源供給用接片Ｖと複数の電源供給用接片Ｖ´で構成される電源供給経路の電流容量を確保する上で有利となり、また、電源供給用接片Ｖに対して複数の電源供給用接片Ｖ´が接触することで接触面積を増大できる。また、アクセサリー側接片２００４の電源供給用接片Ｖ´を複数設けると、振動衝撃などでこれら複数の電源供給用接片Ｖ´のうちの一部の電源供給用接片Ｖ´が電子機器側接片１００４の電源供給用接片Ｖから瞬間的に離間して接触が絶たれたとしても、アクセサリー側接片２００４の残りの電源供給用接片Ｖ´が電子機器側接片１００４の電源供給用接片Ｖと接触していれば全体として電源供給が絶たれることがなく、電源供給にまつわる接片の接触をより安定させ信頼性を向上する上で有利となる。
また、本実施例では、第１の仮想軸１００２を中心とする半径の同一円周上で接片領域Ａ１のほぼ全域にわたって延在する基準電位用接片ＧＮＤを、最も小さい半径Ｒ１の円周に沿って延在形成したので、電子機器側端子面１００６に占有するスペースを抑制でき、電子機器側端子面１００６に他の電子機器側接片１００４を配置するスペースを確保する上で有利となる。
また、本実施例では、電子機器側接片１００４の入出力信号用接片Ｓを接片領域Ａ１における円周方向の第１の方向の端部に設けたので、アクセサリー側コネクタ２０を電子機器側コネクタ１０に装着、取り外しする際に、電子機器側接片１００４の入出力信号用接片Ｓはアクセサリー側接片２００４のうちの入出力信号用接片Ｓを除く他の接片に接触しないので、電子機器側接片１００４の入出力信号用接片Ｓから供給される前記制御信号がアクセサリー側接片２００４の入出力信号用接片Ｓ´を除く他の接片に供給されることがなく、電子機器１００およびアクセサリー２００の誤動作を防止する上で有利となる。
また、本実施例では、電子機器側接片１００４の入出力信号用接片ＮＣを接片領域Ａ１における円周方向の第１の方向の端部に設けたので、アクセサリー側コネクタ２０を電子機器側コネクタ１０に装着、取り外しする際に、電子機器側接片１００４の入出力信号用接片ＮＣはアクセサリー側接片２００４のうちの入出力信号用接片ＮＣ´を除く他の接片に接触しないので、電子機器側接片１００４の入出力信号用接片ＮＣから供給される拡張用の信号がアクセサリー側接片２００４の入出力信号用接片ＮＣを除く他の接片に供給されることがなく、電子機器１００およびアクセサリー２００の誤動作を防止する上で有利となる。
また、本実施例では、アクセサリー側接片２００４の入出力信号用接片Ｓｔｒｏｂｏ´をアクセサリー側端子面２００６において円周方向の第２の方向の端部に設けたので、アクセサリー側コネクタ２０を電子機器側コネクタ１０に装着、取り外しする際に、アクセサリー側接片２００４の入出力信号用接片Ｓｔｒｏｂｏ´は電子機器側接片１００４のうち出力信号用接片Ｓｔｒｏｂｏを除く他の接片に接触しないので、他の接片からアクセサリー側接片２００４の入出力信号用接片Ｓｔｒｏｂｏ´に不用意にノイズ信号が流れることがなく、特にアクセサリー２００がストロボ装置であった場合、該ストロボ装置が前記ノイズ信号により誤動作して発光することを防止する上で有利となる。
【００３０】
また、本実施例では、接片領域Ａ１において、入出力信号用接片ＭｉｃＦＬを半径Ｒ３の円周方向の中間に設け、入出力信号用接片ＭｉｃＦＲを半径Ｒ２の円周方向の中間に設け、入出力信号用接片ＭｉｃＲＬを半径Ｒ３の円周方向で第２の方向の端部に設け、入出力信号接片ＭｉｃＲＲを半径Ｒ２の円周方向で第２の方向の端部に設けた。
そして、アクセサリー側コネクタ２０を第２の方向に回転させて電子機器側コネクタ１０から取り外す際に、電子機器側接片１００４の入出力信号用接片ＭｉｃＦＬ、ＭｉｃＦＲにはそれぞれアクセサリー側接片２００４の識別信号用接片ＩＤ１´、ＩＤ２´が接触し、電子機器側接片１００４の入出力信号用接片ＭｉｃＲＬ、ＭｉｃＲＲにはそれぞれアクセサリー側接片２００４の入出力信号用接片ＭｉｃＲＬ´、ＭｉｃＲＲ´と、識別信号用接片ＩＤ１´、ＩＤ２´とが接触する。
したがって、電子機器側接片１００４の入出力信号用接片ＭｉｃＦＬ、ＭｉｃＦＲには、これら２つの接片と本来対応しない接片が１度ずつ接触するのに対して、電子機器側接片１００４の入出力信号用接片ＭｉｃＲＬ、ＭｉｃＲＲには、これら２つの接片と本来対応しない接片が２度ずつ接触することになる。
このように本来対応しない接片同士が接触すると電子機器１００においてノイズが発生するおそれがある。したがって、アクセサリー側コネクタ２０を電子機器側コネクタ１０から取り外す際、フロント側の２チャンネル分の音声信号に対応する電子機器側接片１００４の入出力信号用接片ＭｉｃＦＬ、ＭｉｃＦＲの方で発生するノイズが１度であるのに対して、リア側の２チャンネル分の音声信号に対応する電子機器側接片１００４の入出力信号用接片ＭｉｃＲＬ、ＭｉｃＲＲの方で発生するノイズは２度となる。
したがって、フロント側の２チャンネル分の音声信号のみを使用する場合は、フロント側およびリア側の４チャンネル分の音声信号を使用する場合に比較してノイズの発生する頻度を抑制することができる。
【００３１】
また、本実施例では、電子機器側端子面１００６の２つの接片領域Ａ１のうち、一方の接片領域Ａ１に、基準電位用接片ＧＮＤ、信号入出力用接片ＭｉｃＦＬ、ＭｉｃＦＲ、ＭｉｃＲＬ、ＭｉｃＲＲ、識別信号用接片ＩＤ１、ＩＤ２´を設けた。これら各接片を通る電気信号は概ねアナログ信号として扱うことができ、電圧および電流の値およびそれらの変動が比較的少ない。
２つの接片領域Ａ１のうち、他方の接片領域Ａ１に、電源供給用接片Ｖ、信号入出力用接片ＵＳＢ＋、ＵＳＢ−、Ｓｔｒｏｂｅ、ＭｉｃＧＮＤ、Ｓ、ＮＣを設けた。これら各接片を通る電気信号は概ねデジタル信号として扱うことができ、電圧および電流の値およびそれらの変動が比較的大きい。
このように、互いに離間した２つの接片領域Ａ１のうち、一方にアナログ信号を伝達する接片を配置し、他方にデジタル信号を伝達する接片を配置したので、デジタル信号によって生じたノイズ成分がアナログ信号に与える影響を低減させる上で有利となっている。
なお、前述したように、電子機器側接片１００４はリードピン１４０８を介して前記フレキシブル基板に接続されている。したがって、２つの入出力信号用接片ＵＳＢ＋、ＵＳＢ−には、それぞれ前記フレキシブル基板のパターンがそれぞれ接続されている。そして、これら各パターンはＵＳＢ信号を効率よく伝達する上で互いにインピーダンスがなるべく同一となるように設けられていることが望ましい。したがって、端子板１４上における２つの入出力信号用接片ＵＳＢ＋、ＵＳＢ−の位置は、前記各パターンのインピーダンスが同一にできるように設定することが好ましい。
また、本実施例では、電子機器側接片１００４およびアクセサリー側接片２００４の識別信号用接片をそれぞれ２個ずつ設けた場合について説明したが、これら識別信号用接片は１個ずつ設けてもよいし、３個ずつ以上設けてもよいことはもちろんである。
【００３２】
なお、本実施例では、アクセサリー側コネクタ２０の第１の仮想軸１００２を中心とする円周方向の回転を停止させるストッパを電子機器側コネクタ１０に設けた凸部１２１２で構成したが、前記ストッパをアクセサリー側コネクタ２０に設けてもよく、このようなストッパの形状や配置箇所は任意である。
また、前記固定手段は本実施例の構成に限定されるものではなく、電子機器１００またはアクセサリー２００にクリップやフックを設けるなど従来公知の様々な機構によって実現できることはいうまでもない。
また、カバー１６は省略してもよく、この場合にはアクセサリー側端子面２００６は軸状の部材２２の先端面２６０２に直接設けられることになるが、実施例のようにカバー１６を設けると、アクセサリー２００の非使用時に電子機器側接片１００４を保護する上で有利となる。
また、本実施例では、案内部を電子機器側コネクタ１０の各内周面１２１０と軸部材１８で構成し、係合部をアクセサリー側コネクタ２０の軸部２６の外周面２６０６と孔部２６０４とで構成した場合について説明したが、これら案内部、係合部として従来公知の様々な機構を採用可能である。
【実施例２】
【００３３】
次に実施例２について説明する。
実施例１では、電子機器側接片およびアクセサリー側接片が互いに異なる３つの半径の円周上に設けられているのに対して、実施例２では、電子機器側接片およびアクセサリー側接片が互いに異なる２つの半径の円周上に設けられている。
図９は実施例２における電子機器側コネクタの接片とアクセサリー側コネクタの接片との位置関係を示す説明図であり、実施例１と同様または同一の部分には同一の符号を付してその説明を省略する。
なお、図中、ＭｉｃＲ、ＭｉｃＬ、Ｍｉｃ３、Ｍｉｃ４の各符号は、実施例１におけるＭｉｃＦＲ、ＭｉｃＦＬ、ＭｉｃＲＲ、ＭｉｃＲＬのそれぞれに相当している。
図９に示すように、接片領域Ａ１において、第１の仮想軸１００２を中心とした半径Ｒ１と、該半径Ｒ１よりも大きな半径Ｒ２の２つの円周上にそれぞれ複数の電子機器側接片１００４が設けられ、端子面２００６において、第２の仮想軸２００２を中心とした半径Ｒ１と同じ寸法の半径Ｒ１１と、半径Ｒ２と同じ寸法の半径Ｒ１２の２つの円周上にそれぞれ複数のアクセサリー側接片２００４が設けられている。
このような構成によっても第１の実施例と同様の作用効果を奏することはもちろんである。
また、電子機器側接片およびアクセサリー側接片が互いに異なる４つ以上の半径の円周上に設けられていてもよいことはもちろんである。
【００３４】
なお、各実施例では、アクセサリーシュー装置をビデオカメラに適用した場合について例示したが、本発明はこれに限定されるものではなく、種々の電子機器、例えばカメラ付パーソナルデジタルアスタント（ＰＤＡ）、あるいは種々の撮像装置、例えばデジタルスチルカメラやフィルム式カメラなどに適用可能であることはもちろんである。
また、このような電子機器において、撮影した画像データを記録する媒体は、例えば、磁気テープなどの磁気記録媒体、ハードディスク、ＩＣカード、超小型光ディスクなどを用いることができる。
【図面の簡単な説明】
【００３５】
【図１】実施例１の電子機器を前方から見た斜視図である。
【図２】電子機器に設けられた電子機器側コネクタの斜視図である。
【図３】電子機器側．コネクタの分解斜視図である。
【図４】アクセサリーの斜視図である。
【図５】アクセサリーに設けられたアクセサリー側コネクタの斜視図である。
【図６】電子機器側コネクタとアクセサリー側コネクタが結合された状態を示す断面図である。
【図７】実施例１における電子機器側コネクタの接片とアクセサリー側コネクタの接片との位置関係を示す説明図である。
【図８】電子機器側接片１００４およびアクセサリー側接片２００４の接触状態の変化を説明する状態遷移図である。
【図９】実施例２における電子機器側コネクタの接片とアクセサリー側コネクタの接片との位置関係を示す説明図である。
【符号の説明】
【００３６】
１００……電子機器、２００……アクセサリー、１０……電子機器側コネクタ、２０……アクセサリー側コネクタ、１００２……第１の仮想軸、１００４……電子機器側接片、１００６……電子機器側端子面、２００２……第２の仮想軸、２００４……アクセサリー側接片、２００６……アクセサリー側端子面、ＩＤ１、ＩＤ２……識別信号用接片、ＩＤ１´、ＩＤ２´……識別信号用接片。
【図１】
2005227335.tif 000003
【図２】
2005227335.tif 000004
【図３】
2005227335.tif 000005
【図４】
2005227335.tif 000006
【図５】
2005227335.tif 000007
【図６】
2005227335.tif 000008
【図７】
2005227335.tif 000009
【図８】
2005227335.tif 000010
【図９】
2005227335.tif 000011